(57)【要約】【課題】音圧を一定以上確保できる範囲を拡大することができる感知器を提供することを目的としている。【解決手段】開口部が形成されている筒状の側面部を有する筐体と、筐体内に設けられているスピーカと、筐体内に設けられている火災検出部と、開口部から火災検出部へ至る通路である第１の空間とスピーカが設けられている第２の空間とを区画し、筐体内に設けられている区画部材と、を備え、区画部材には、スピーカが設けられている位置にスピーカ孔が形成され、筐体は、スピーカ孔から第１の空間に放射された音波が、スピーカ孔側から開口部側へ伝搬するように構成されている。【選択図】図１
2019036260.tif 000002
【特許請求の範囲】
【請求項１】
開口部が形成されている筒状の側面部を有する筐体と、
前記筐体内に設けられているスピーカと、
前記筐体内に設けられている火災検出部と、
前記開口部から前記火災検出部へ至る通路である第１の空間と前記スピーカが設けられている第２の空間とを区画し、前記筐体内に設けられている区画部材と、
を備え、
前記区画部材には、前記スピーカが設けられている位置にスピーカ孔が形成され、
前記筐体は、前記スピーカ孔から前記第１の空間に放射された音波が、前記スピーカ孔側から前記開口部側へ伝搬するように構成されている
ことを特徴とする感知器。
【請求項２】
前記筐体は、前記区画部材と前記第１の空間をあけて向かい合う平板状の対向面部を有し、
前記対向面部は、前記区画部材のうち前記スピーカ孔が形成されている部分に向かい合っており、前記スピーカ孔から前記第１の空間に放射された前記音波を反射させて前記音波を前記開口部へ伝搬させる反射面を有している
ことを特徴とする請求項１に記載の感知器。
【発明の詳細な説明】
【技術分野】
【０００１】
本発明は、火災時の熱や煙を感知する熱感知器や煙感知器などの火災感知器（以下、感知器という）に関し、特に、スピーカを備えている感知器に関する。
【背景技術】
【０００２】
従来の感知器には、筐体下部に設けられているヘッドカバーと、ヘッドカバーに収容されているスピーカとを備えているものが提案されている（例えば、特許文献１参照）。特許文献１の煙感知器のヘッドカバーは底面及び周壁を有する有底筒状部材である。ヘッドカバーの周壁には煙が通過する空気窓が形成され、ヘッドカバーの底面にはスピーカで発生した音波を通す通音孔が形成されている。
【先行技術文献】
【特許文献】
【０００３】
【特許文献１】特開２００５−３５２９３２号公報（例えば、段落００６６−００６９及び図７）
【発明の概要】
【発明が解決しようとする課題】
【０００４】
特許文献１において、スピーカの下面（前面）の振動による音波はヘッドカバーの底面の通音孔を通過して居住空間に伝搬され、スピーカの上面（背面）の振動による音波はヘッドカバーの周壁の空気窓を通過して居住空間に伝搬される。ここで、スピーカの下面の振動による音波とスピーカの上面の振動による音波とは、位相が逆になっている。このため、ヘッドカバーの周壁の空気窓を通過して居住空間に伝搬された音波が、ヘッドカバーの底面の通音孔を通過して居住空間に伝搬された音波によって弱められてしまう。したがって、特許文献１の煙感知器のスピーカが音を発生したときにおいて、音圧を一定以上確保できる範囲が狭まってしまうという課題がある。
【０００５】
本発明は、上記のような課題を解決するためになされたものであり、音圧を一定以上確保できる範囲を拡大することができる感知器を提供することを目的としている。
【課題を解決するための手段】
【０００６】
本発明に係る感知器は、開口部が形成されている筒状の側面部を有する筐体と、筐体内に設けられているスピーカと、筐体内に設けられている火災検出部と、開口部から火災検出部へ至る通路である第１の空間とスピーカが設けられている第２の空間とを区画し、筐体内に設けられている区画部材と、を備え、区画部材には、スピーカが設けられている位置にスピーカ孔が形成され、筐体は、スピーカ孔から第１の空間に放射された音波が、スピーカ孔側から開口部側へ伝搬するように構成されている。
【０００７】
本発明に係る感知器は、筐体は、区画部材と第１の空間をあけて向かい合う対向面部を有し、対向面部は、区画部材のうちスピーカ孔が形成されている部分に向かい合っており、スピーカ孔から第１の空間に放射された音波を反射させて音波を開口部へ伝搬させる反射面を有している。
【発明の効果】
【０００８】
本発明に係る感知器によれば、上記構成を備えているので、音圧を一定以上確保できる範囲を拡大することができる。
【図面の簡単な説明】
【０００９】
【図１】実施の形態に係る煙感知器１００の外観を示す図である。
【図２】煙感知器１００の各構成を分解した状態の斜視図である。
【図３】第１のカバー１１の、図１（ａ）に示すＡ−Ａ断面を示している。
【図４】図１（ｂ）に示すＢ−Ｂ断面図である。
【図５】ベース部３及び蓋部４の、図４に示すＤ−Ｄ端面を示している。
【図６】図１（ａ）に示すＣ−Ｃ断面図である。
【図７】実施の形態に係る煙感知器１００の変形例（煙感知器１０１）を示している。
【発明を実施するための形態】
【００１０】
実施の形態．
以下、本発明に係る感知器の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１１】
図１は、実施の形態に係る煙感知器１００の外観を示す図である。図１（ａ）は煙感知器１００の外観を示す側面図であり、図１（ｂ）は煙感知器１００の外観を示す下面図である。図２は、煙感知器１００の各構成を分解した状態の斜視図である。図３は、第１のカバー１１の、図１（ａ）に示すＡ−Ａ断面を示している。図４は、図１（ｂ）に示すＢ−Ｂ断面図である。図１〜図４を参照して煙感知器１００の構成を説明する。
【００１２】
煙感知器１００は、例えば家屋の室内等の監視空間に設置される。図１に示すように、煙感知器１００は例えば天井２００に取り付けられる。また、図１及び図２に示すように、煙感知器１００は、有底筒状の第１のカバー１１及び第１のカバー１１の蓋となる第２のカバー１２とを含む筐体１０を備えている。また、図２及び図４に示すように、煙感知器１００は、筐体１０に収容され、筐体１０内の空間を上下に区画する区画部材３０と、区画部材３０に設けられている火災検出部Ｄｅｔとを備えている。火災検出部Ｄｅｔは、遮光機能を有する暗室部Ｄｒｍと、後述する基板６の受光部及び発光部とを含んでいる。暗室部Ｄｒｍは、筐体１０内に収容され、遮光機能を有する光学台カバー５と、光学台カバー５内に収容され、遮光機能を有するラビリンス壁Ｌｂと、後述する蓋部４に形成されている光学台４Ａ６とを備えている。また、図２及び図４に示すように、煙感知器１００は、区画部材３０に収容されている基板６と、基板６に設けられている各種回路の動作電力を供給する電池７と、区画部材３０に収容され、音を発生させるスピーカ８とを備えている。更に、図２に示すように、煙感知器１００は、第１のカバー１１に設けられ、煙感知器１００を点検するときに点検者が押す押込部材２０を備えている。
【００１３】
図１（ａ）及び図２に示すように、筐体１０の第１のカバー１１には、周方向に延びる開口部１が形成されている。筐体１０の開口部１には板状の仕切部材１ａが設けられている。開口部１は上段開口部１Ａと下段開口部１Ｂとを有している。仕切部材１ａの上側には上段開口部１Ａが設けられ、仕切部材１ａの下側には下段開口部１Ｂが設けられている。第１のカバー１１は、平板状の対向面部１１Ａと、筒状の側面部１１Ｂとを備えている。対向面部１１Ａは、押込部材２０により閉塞されている開口部１１Ａ１が形成されている。図１及び図３に示すように、対向面部１１Ａは、意匠面となる外側面Ｓｆ１と、外側面Ｓｆ１の裏面であり、区画部材３０と向かい合う内側面Ｓｆ２とが形成されている。また、図２及び図３に示すように、対向面部１１Ａは、光学台カバー５の蓋状部５Ａが配置される円形の凹状部１１Ａ２と、押込部材２０の軸部２１が配置される支持部１１Ａ３とを備えている。また、対向面部１１Ａは、開口部１から筐体１０内に流入した煙を光学台カバー５へ導く導入板ａ１〜ａ４と、各挿入部３Ｂ１に挿入されているネジが締結されている円柱状の挿入部ｂとを備えている。
【００１４】
凹状部１１Ａ２は光学台カバー５との干渉を抑制するようにベース部３から対向面部１１Ａに向かう方向に凹んでいる。側面部１１Ｂは、上下方向に延びるメインリブ１３と、隣接するメインリブ１３の間に設けられ、上下方向に延びるサブリブ１４と、区画部材３０の周縁に設けられている筒状部１５とを備えている。メインリブ１３の下端は対向面部１１Ａに接続され、メインリブ１３の上端は筒状部１５に接続されている。サブリブ１４はメインリブ１３よりも細い。サブリブ１４の下端は対向面部１１Ａに接続され、サブリブ１４の上端は筒状部１５に接続されている。隣接する１対のメインリブ１３の中心Ｏ１における中心角は９０度である。ここで、対向面部１１Ａの平面視形状は円形状であり、中心Ｏ１は対向面部１１Ａの中心に対応する。また、第１のカバー１１には８つのサブリブ１４が形成されている。隣接する一対のサブリブ１４の中心Ｏ１における中心角は３０度である。筒状部１５は区画部材３０を囲む部材であり、例えば円筒状に構成することができる。第２のカバー１２は、第１のカバー１１の上部に設けられている。
【００１５】
導入板ａ１〜ａ４は対向面部１１Ａ側から区画部材３０側へ突出している。導入板ａ１及び導入板ａ２は電池７の長手方向に平行に設けられている。導入板ａ３及び導入板ａ４は凹状部１１Ａ２の周囲に放射状に設けられている。ここで、図３に示すように、凹状部１１Ａ２の中心Ｏ２と中心Ｏ１とを通る仮想平面を面Ｐｒとする。また、面Ｐｒによって分割された煙感知器１００の一方の部分を領域Ｒｇ１とし、面Ｐｒによって分割された煙感知器１００の他方の部分を領域Ｒｇ２とする。面Ｐｒ上には電池収容部３Ｃ及び電池７が設けられている。領域Ｒｇ１には、導入板ａ１、スピーカ孔形成部４Ａ１及びスピーカ８等が設けられている。領域Ｒｇ２には導入板ａ２及び導入板ａ３が設けられている。導入板ａ４は９つ設けられている。４つの導入板ａ４が領域Ｒｇ１に設けられ、４つの導入板ａ４が領域Ｒｇ２に設けられ、１つの導入板ａ４が面Ｐｒ上に設けられている。
【００１６】
対向面部１１Ａには開口部１１Ａ１が形成されているが、開口部１１Ａ１以外の部分は閉塞されている。また、開口部１１Ａ１についても押込部材２０によって閉塞されている。図２及び図３に示すように、対向面部１１Ａはスピーカ孔４Ａ８の下側に位置する反射面Ｒｆが形成されている。反射面Ｒｆは内側面Ｓｆ２に含まれている。反射面Ｒｆは、スピーカ８の音波を反射し、当該音波をスピーカ孔４Ａ８側から開口部１側へ放射状に伝搬させる。反射面Ｒｆには孔が形成されていない。つまり、第１のカバー１１にはスピーカ孔が形成されていない。このことは、煙感知器１００の意匠面の美観向上に寄与する。また異物の挿入・侵入を防止する効果がある。
【００１７】
図２に示すように、区画部材３０は、壁部３Ａを有するベース部３と、基板６及びスピーカ８を覆う蓋部４とを備えている。ベース部３の壁部３Ａの内側には検煙空間３Ａ３が形成されている。ベース部３は、環状に形成されている縁部３Ｂと、電池７を収容している凹状の電池収容部３Ｃと、スピーカ８を収容している凹状のスピーカ収容部３Ｄとを備えている。また、ベース部３は、基板６が設けられている基板配置部３Ｅと、縁部３Ｂに形成され、対向面部１１Ａへ突出する支持部３Ｆとを備えている。壁部３Ａの周囲には基板６が設けられている。縁部３Ｂは第１のカバー１１の筒状部１５の内周面に沿って設けられている。縁部３Ｂには、ベース部３と第１のカバー１１とを固定するネジ（図示省略）が挿入される挿入部３Ｂ１が２つ形成されている。電池収容部３Ｃは電池７が配置されている側と基板６が設けられている側とを区画する区画壁３Ｅ１を備えている。電池収容部３Ｃの上側には電池７が設けられている。スピーカ収容部３Ｄはスピーカ８を囲む壁部である。スピーカ収容部３Ｄは円弧状に設けられている。また、ベース部３はスピーカ８の上面に向かい合う面部３Ｄ１を備えている。基板配置部３Ｅは基板６の縁に向かい合っている。支持部３Ｆは押込部材２０の軸部２１を回転自在に支持する。
【００１８】
図２に示すように、蓋部４は、蓋本体４Ａと、蓋本体４Ａの縁に設けられているフランジ部４Ｂと、開口部１から筐体１０内に流入した煙を光学台カバー５へ導く柱状の導入部材４Ｃとを備えている。蓋本体４Ａは、スピーカ孔４Ａ８が形成されている板状のスピーカ孔形成部４Ａ１と、スピーカ孔形成部４Ａ１の周縁に形成されている壁部４Ａ２と、後述の図５で説明する壁部４Ａ３と、２つの挿入部３Ｂ１のうちの一方に設けられたネジ（図示省略）が挿入される挿入部４Ａ４とを備えている。また、蓋本体４Ａは、基板６のスイッチ６Ａが押されたとき等に点灯する基板６のＬＥＤ（図示省略）が露出するＬＥＤ孔４Ａ５と、光学台カバー５が設けられている光学台４Ａ６と、スピーカ８で発生した音波が通過するスピーカ孔４Ａ８と、基板６のスイッチ６Ａが挿入されるスイッチ孔４Ａ９と、が形成されている。図４に示すように、光学台４Ａ６には暗室部Ｄｒｍと検煙空間３Ａ３とを連通する貫通孔４Ａ７が形成されている。
【００１９】
光学台カバー５は椀状部材である。光学台カバー５は、第１のカバー１１の対向面部１１Ａの上に設けられ、蓋部４に取り付けられている蓋状部５Ａと、煙が通過する孔が複数形成された円筒状の網部５Ｂとを備えている。蓋状部５Ａ及び網部５Ｂはラビリンス壁Ｌｂと同様に遮光機能を有している。また、網部５Ｂは暗室部Ｄｒｍに埃や虫等が侵入することを防止している。
【００２０】
基板６は水平方向に平行に設けられている。また、図２に示すように、基板６は、例えばＬＥＤ等で構成することができる発光部と当該発光部の光を受光する受光部とを備えている。また、基板６は受光部の回路を保護するシールドケース６Ｂを備えている。更に、基板６には、ベース部３の壁部３Ａの周面形状に合わせて形成された切欠部である光学系配置部６Ｃが形成されている。光学系配置部６Ｃには上述の発光部及び受光部が設けられている。
【００２１】
図２に示すように、スピーカ８はベース部３と蓋部４との間に設けられている。具体的には、スピーカ８は、ベース部３のスピーカ収容部３Ｄと、ベース部３の面部３Ｄ１と、蓋部４のスピーカ孔形成部４Ａ１と、によって収容されている。スピーカ８の下面には振動板が設けられている。
【００２２】
図２及び図３に示すように、押込部材２０は、ベース部３の支持部３Ｆと第１のカバー１１の対向面部１１Ａの支持部１１Ａ３とに挟まれている回転自在の軸部２１と、軸部２１に接続され、第１のカバー１１の開口部１１Ａ１を閉塞している押込面部２２とを備えている。
【００２３】
図５は、ベース部３及び蓋部４の、図４に示すＤ−Ｄ端面を示している。図５を参照して引き続き煙感知器１００の構成を説明する。壁部３Ａは、煙検出用の発光部が臨む孔部３Ａ１と、煙検出用の受光部が臨む孔部３Ａ２と、常時において発光部の光が受光部に入ることを防止する突出部３Ａ４とを備えている。また、壁部３Ａの内側には検煙空間３Ａ３が形成されている。検煙空間３Ａ３は上述した暗室部Ｄｒｍに連通している。
【００２４】
スピーカ収容部３Ｄの周囲には蓋部４の壁部４Ａ２が設けられている。また、壁部３Ａの周囲及び基板配置部３Ｅの周囲には蓋部４の壁部４Ａ３が設けられている。壁部４Ａ３は、既に説明した図２において隠れて見えていないが、光学台４Ａ６の形成面の裏面に形成されている。
【００２５】
図４に示すように、筐体１０内には、開口部１から光学台カバー５へ至る煙の通路である第１の空間ＳＰ１が形成されている。また、図２に示すように、筐体１０内には、スピーカ８が設けられている第２の空間ＳＰ２が形成されている。第２の空間ＳＰ２は第１の空間ＳＰ１の上側に設けられている。第１の空間ＳＰ１と第２の空間ＳＰ２とはスピーカ孔形成部４Ａ１によって上下に隔てられている。
【００２６】
図６は、図１（ａ）に示すＣ−Ｃ断面図である。次に、図６及び上述の図１〜図５を参照して、煙感知器１００の動作について説明する。火災等が発生すると、煙が筐体１０の開口部１を介して第１の空間ＳＰ１に流入する。第１の空間ＳＰ１に流入した煙は、導入板ａ１等によって火災検出部Ｄｅｔの暗室部Ｄｒｍの光学台カバー５へ導かれる。そして、光学台カバー５の周囲に至った煙は、網部５Ｂの孔を介して光学台カバー５内の空間（火災検出部Ｄｅｔの暗室部Ｄｒｍ）に流入する。光学台カバー５内の空間に流入した煙は、ラビリンス壁Ｌｂを通り抜けた後に、蓋部４の貫通孔４Ａ７に流入する。貫通孔４Ａ７に流入した煙は検煙空間３Ａ３に流入する。なお、煙には微細な粒子が混ざっている。この粒子は煙よりも重たいため、上昇しにくい。このため、この粒子は光学台カバー５に留まり、煙が検煙空間３Ａ３に流入する。これにより、煙感知器１００は火災の検出精度が向上している。煙が検煙空間３Ａ３に流入すると、基板６の発光部の光が検煙空間３Ａ３において散乱する。基板６の受光部がこの散乱した光を検出することで、煙感知器１００は火災を感知する。
【００２７】
基板６の受光部がこの散乱した光を検出したときに、基板６の制御回路はスピーカ８に音を発生させる。スピーカ８が音を発生するときには、スピーカ８の振動板が振動する。スピーカ８の振動板が振動することで、スピーカ８の振動板は疎密波である音波を発生する。スピーカ８で発生した音波は、空気中を伝搬し、スピーカ孔４Ａ８を通過する。スピーカ孔４Ａ８を通過した音波の一部は、対向面部１１Ａの反射面Ｒｆで反射する。図６に示すように、対向面部１１Ａの反射面Ｒｆで反射した音波Ｓｗは、スピーカ孔４Ａ８側から開口部１側へ放射状に伝搬する。スピーカ孔４Ａ８を通過した音波の他部はスピーカ孔４Ａ８で回折した後に、例えば、直接開口部１へ伝搬する、又は、区画部材３０や対向面部１１Ａに反射しながら開口部１へ伝搬する。
【００２８】
開口部１に至った音波Ｓｗは、煙感知器１００を中心として放射状に広がる。なお、開口部１に至った音波Ｓｗは、開口部１で回折し、煙感知器１００の下方にも伝搬する。また、スピーカ８の振動板の上面で発生した音波はスピーカ８の振動板の下面で発生した音波と位相が逆であるが、スピーカ８の振動板の上面で発生した音波は面部３Ｄ１等を振動させて減衰している。したがって、スピーカ８の振動板の上面で発生した音波が、スピーカ８の振動板の下面で発生した音波を減衰させることを抑制している。
【００２９】
次に、実施の形態の効果について説明する。煙感知器１００の筐体１０は、スピーカ孔４Ａ８から第１の空間ＳＰ１に放射された音波Ｓｗが、スピーカ孔４Ａ８側から開口部１側へ伝搬するように構成されている。つまり、スピーカ孔４Ａ８を通過した音波Ｓｗは筐体１０で反射し、当該反射した音波Ｓｗはスピーカ孔４Ａ８側から開口部１側へ放射状に伝搬し、開口部１に至った音波Ｓｗは煙感知器１００を中心として放射状に広がる。したがって、煙感知器１００は、スピーカ８が音を発生したときにおいて、音圧を一定以上確保できる範囲を拡大することができる。
【００３０】
また、煙感知器１００の動作で説明したように、スピーカ８の振動板の下面で発生した音波は、スピーカ８の振動板の上面で発生した音波によって減衰されることが抑制されている。したがって、煙感知器１００は、スピーカ８が音を発生したときにおいて、音圧を一定以上確保できる範囲を更に拡大することができる。
【００３１】
煙感知器１００の対向面部１１Ａは、区画部材３０のうちスピーカ孔４Ａ８が形成されている部分に向かい合っており、スピーカ孔４Ａ８から第１の空間ＳＰ１に放射された音波Ｓｗを反射させて当該音波Ｓｗを開口部１へ伝搬させる反射面Ｒｆを有している。反射面Ｒｆは音波Ｓｗを効果的に反射させることができるように、反射面Ｒｆは孔が形成されていない閉塞面である。つまり、反射面Ｒｆは、スピーカ孔４Ａ８から伝搬してきた音波をより確実に反射し、開口部１側へより確実に伝搬させることができる。
【００３２】
煙感知器１００の対向面部１１Ａは平板状の部材であるため、対向面部１１Ａの外側面Ｓｆ１すなわち意匠面は平坦面である。このように、煙感知器１００の対向面部１１Ａの意匠面は平坦面であるため、煙感知器１００は優れた美観を有している。また、煙感知器１００の対向面部１１Ａは平板状の部材であるため、スピーカ孔４Ａ８から第１の空間ＳＰ１に放射された音波Ｓｗは、対向面部１１Ａで反射し、より確実に開口部１に至る。したがって、煙感知器１００は煙感知器１００を中心として音波を放射状に広げやすく、煙感知器１００はスピーカ８が音を発生したときにおいて音圧を一定以上確保できる範囲の拡大効果がより高くなっている。
【００３３】
また、煙感知器１００の対向面部１１Ａには開口部１１Ａ１が形成されているが、押込部材２０によって閉塞されている。したがって、煙感知器１００の対向面部１１Ａには開放された部分がない。したがって、煙感知器１００の点検を実施しやすいように、煙感知器１００が開口部１１Ａ１及び押込部材２０等を備えたとしても、煙感知器１００は上述した、優れた美観の効果、及び、音圧を一定以上確保できる範囲の拡大効果を有する。
【００３４】
図７は、実施の形態に係る煙感知器１００の変形例（煙感知器１０１）を示している。変形例は、第１の空間ＳＰ１及び第２の空間ＳＰ２の上下関係が、実施の形態の当該上下関係と逆になっている。つまり、第１の空間ＳＰ１は第２の空間ＳＰ２の上側に設けられている。変形例に係る煙感知器１０１の構成の説明をする。
【００３５】
煙感知器１０１は、筐体７１と、第１の空間ＳＰ１及び第２の空間ＳＰ２を隔てる区画部材７４と、区画部材７４上に設けられている光学台カバー７５と、区画部材７４の下に設けられている基板７６と、区画部材７４の下に設けられているスピーカ７８とを備えている。筐体７１は、区画部材７４と光学台カバー７５と基板７６とスピーカ７８とを収容している。筐体７１は、開口部７１Ａが形成されている筒状の側面部７１ｂと、区画部材３０の上側に設けられている対向面部７１ａと、平坦面である意匠面７１ｃとを備えている。対向面部７１ａの下面には反射面Ｒｆが形成されている。
【００３６】
区画部材７４は、平板状のスピーカ孔形成部７４Ａと、光学台カバー７５が設けられている光学台７４Ｃとを備えている。スピーカ孔形成部７４Ａにはスピーカ孔７４Ｂが形成されている。光学台カバー７５は対向面部７１ａに向かい合う蓋状部７５Ａと、煙が通過する孔が複数形成された円筒状の網部７５Ｂとを備えている。また、光学台カバー７５には遮光機能を有するラビリンス壁７５Ｃが設けられている。光学台カバー７５とラビリンス壁７５Ｃと光学台７４Ｃとが、暗室部Ｄｒｍである。基板７６はＬＥＤ等で構成される発光部７６Ａと受光素子等で構成される受光部７６Ｂとを備えている。区画部材７４には２つの孔が形成されており、発光部７６Ａ及び受光部７６Ｂは当該２つの孔を介して暗室部Ｄｒｍに臨んでいる。スピーカ７８はスピーカ孔形成部７４Ａの直下に設けられている。
【００３７】
なお、図７では図示を省略しているが、煙感知器１０１も電池を備えている。変形例において、区画部材７４は区画部材３０の電池収容部３Ｃに対応する構成を備えていてもよい。また、変形例において、電池は第２の空間ＳＰ２に配置することができる。
【００３８】
変形例に係る煙感知器１０１は、実施の形態に係る煙感知器１００と同様の効果を有する。また、以上において、感知器が煙感知器である場合を一例に説明したが、それに限定されるものではない。実施の形態及び変形例の構成等は熱感知器に適用することもできる。熱感知器は、火災が発生したときに生じる熱によって火災の発生を感知する感知器である。例えば差動式熱感知器の場合において火災検出部は例えばサーミスタ等の構成に対応し、例えば定温式熱感知器の場合において火災検出部は例えばバイメタル等の構成に対応する。
【００３９】
なお、実施の形態においては第１の空間ＳＰ１と第２の空間ＳＰ２とが区画部材３０によって上下に隔てられた形態を一例として説明し、また、変形例においては第１の空間ＳＰ１と第２の空間ＳＰ２とが区画部材７４によって上下に隔てられた形態を一例として説明した。つまり、実施の形態及び変形例では第１の空間ＳＰ１と第２の空間ＳＰ２とが上下に隔てられた形態を一例として説明したが、上下に隔てられた形態に限定されるものではない。上下に隔てられた形態ではない感知器、例えば、区画部材によって左右や斜め方向で隔てられた感知器でもよく、一つの空間が２つ以上に区画される感知器であっても、実施の形態における効果及び変形例における効果と同様の効果を得ることができる。
【符号の説明】
【００４０】
１  開口部、１Ａ  上段開口部、１Ｂ  下段開口部、１ａ  仕切部材、３  ベース部、３Ａ  壁部、３Ａ１  孔部、３Ａ２  孔部、３Ａ３  検煙空間、３Ａ４  突出部、３Ｂ  縁部、３Ｂ１  挿入部、３Ｃ  電池収容部、３Ｄ  スピーカ収容部、３Ｄ１  面部、３Ｅ  基板配置部、３Ｅ１  区画壁、３Ｆ  支持部、４  蓋部、４Ａ  蓋本体、４Ａ１  スピーカ孔形成部、４Ａ２  壁部、４Ａ３  壁部、４Ａ４  挿入部、４Ａ６  光学台、４Ａ７  貫通孔、４Ａ８  スピーカ孔、４Ａ９  スイッチ孔、４Ｂ  フランジ部、４Ｃ  導入部材、４Ｄ５  ＬＥＤ孔、５  光学台カバー、５Ａ  蓋状部、５Ｂ  網部、６  基板、６Ａ  スイッチ、６Ｂ  シールドケース、６Ｃ  光学系配置部、７  電池、８  スピーカ、１０  筐体、１１  第１のカバー、１１Ａ  対向面部、１１Ａ１  開口部、１１Ａ２  凹状部、１１Ａ３  支持部、１１Ｂ  側面部、１２  第２のカバー、１３  メインリブ、１４  サブリブ、１５  筒状部、２０  押込部材、２１  軸部、２２  押込面部、３０  区画部材、７１  筐体、７１Ａ  開口部、７１ａ  対向面部、７１ｂ  側面部、７１ｃ  意匠面、７４  区画部材、７４Ａ  スピーカ孔形成部、７４Ｂ  スピーカ孔、７４Ｃ  光学台、７５  光学台カバー、７５Ａ  蓋状部、７５Ｂ  網部、７５Ｃ  ラビリンス壁、７６  基板、７６Ａ  発光部、７６Ｂ  受光部、７８  スピーカ、１００  煙感知器、１０１  煙感知器、２００  天井、Ｄｅｔ  火災検出部、Ｄｒｍ  暗室部、Ｌｂ  ラビリンス壁、Ｏ１  中心、Ｏ２  中心、Ｐｒ  面、Ｒｆ  反射面、Ｒｇ１  領域、Ｒｇ２  領域、ＳＰ１  第１の空間、ＳＰ２  第２の空間、Ｓｆ１  外側面、Ｓｆ２  内側面、Ｓｗ  音波、ａ１  導入板、ａ２  導入板、ａ３  導入板、ａ４  導入板、ｂ  挿入部。
【図１】
2019036260.tif 000003
【図２】
2019036260.tif 000004
【図３】
2019036260.tif 000005
【図４】
2019036260.tif 000006
【図５】
2019036260.tif 000007
【図６】
2019036260.tif 000008
【図７】
2019036260.tif 000009